(57)【特許請求の範囲】
【請求項１】
車両内に移動体電話機が持ち込まれたか否かを検出する電話機検出手段と、
前記電話機検出手段により検出された前記車両内の移動体電話機に対して着信時の呼び出し音量を小さく、もしくはオフするように音量切換え指示を送る音量制御指示手段と、
前記車両内の移動体電話機の識別情報を記憶する記憶手段と、
前記車両内の移動体電話機の着信を検出する着信検出手段と、
前記着信検出手段により着信が検出された前記車両内の移動体電話機の識別情報と、前記記憶手段に記憶されている識別情報とを照合する照合手段と、
前記照合手段により合致が確認された識別情報を用いて前記車両内の乗員に前記車両内の移動体電話機への着信を少なくとも音声案内で報知する報知手段とを備えることを特徴とする車両用着信案内装置。
【請求項２】
請求項１に記載の車両用着信案内装置において、
前記報知手段は、前記音声案内に着信が検出された移動体電話機の所有者名を含めることを特徴とする車両用着信案内装置。
【請求項３】
請求項１または２に記載の車両用着信案内装置において、
前記報知手段はさらに、前記車両内の移動体電話機への着信を視覚的な表示によって前記車両内の乗員に報知することを特徴とする車両用着信案内装置。
【発明の詳細な説明】
【０００１】
【発明の属する技術分野】
本発明は、車両内に持ち込まれた移動体電話機の着信を知らせる着信案内装置に関する。
【０００２】
【従来の技術】
走行車両の移動体電話機にかかった電話に対し、自動的に応答する電話制御装置が知られている。たとえば、特開平１１−８８５２５号公報には、走行中の車両の移動体電話機に着信動作を行わせると共に、ディスプレイ装置に応答中である旨を表示し、発信側へ現在運転中である旨のメッセージを送出した後で発信側の伝言を録音し、録音終了後にディスプレイ装置に自動応答終了と着信件数を表示する装置が開示されている。
【０００３】
【発明が解決しようとする課題】
しかしながら、上記の電話制御装置は、複数の同乗者によって複数の移動体電話が車両内に持ち込まれる場合に、それぞれの移動体電話に対して着信動作を行うことができなかった。このため、電話制御装置に接続されない移動体電話機に着信があると、運転者の運転負荷が大きい場合に、電話機の着信音によって運転者の注意を電話機に引きつけることになり、運転者に負担がかかるおそれがある。
【０００５】
【課題を解決するための手段】
請求項１に記載の発明は、 車両内に持ち込まれた移動体電話機への着信を報知する車両用着信案内装置に関し、検出した車両内の移動体電話機に対して着信時の呼び出し音量を小さく、もしくはオフするように音量切換え指示を送るとともに、検出した移動体電話機の識別情報を用いて車両内の乗員に移動体電話機への着信を少なくとも音声案内で報知するようにしたものである。
【０００６】
【発明の効果】
以上詳細に説明したように本発明によれば、次のような効果を奏する。
（１）請求項１〜３に記載の発明による車両用着信案内装置では、車両内に持ち込まれた移動体電話機の着信音量を小さく、もしくはオフさせるとともに、当該電話機の識別情報を記憶し、車両内の移動体電話機に着信があると、当該電話機の識別情報と記憶している識別情報とを照合し、合致している識別情報を用いて車両内の乗員に着信を少なくとも音声案内で報知するようにした。案内音声は呼び出し音に比べて注意を電話機に引きつけにくいので、運転者は、電話機の着信時の呼び出し音を気にすることなく運転することができる。さらに、車両内の乗員は、車両内に複数の移動体電話機が持ち込まれている場合でも、識別情報によりどの電話機に着信があったかを知ることができる。
（２）請求項３に記載の発明では、着信を視覚的な表示によって報知するようにしたので、着信時の呼び出し音に比べて運転者の注意を電話機に引きつけにくい。
【０００７】
【発明の実施の形態】
以下、図面を参照して本発明の実施の形態を説明する。
図１は、本発明の一実施の形態による着信案内装置の概要を示すブロック図である。図１において、自動車内に備えられる着信案内装置(車載システム)は、メモリ１と、制御部２と、入出力制御部３と、表示器４と、スピーカ５と、操作部６とを有する。携帯電話機などの移動体電話機１１および１２は、それぞれ自動車の乗員によって車両内に持ち込まれる。
【０００８】
メモリ１は、移動体電話機１１および１２の所有者ＩＤを記憶する。所有者ＩＤは、たとえば、移動体電話機１１および１２の電話番号である。なお、メモリ１は、新たな移動体電話機が車両内に持ち込まれた場合に、その所有者ＩＤを追加記憶する。制御部２は、メモリ１に記憶されている所有者ＩＤに対応する移動体電話機１１、１２に着信がある場合に、乗員に対する着信報知動作を制御する。制御部２には、たとえば、Bluetoothや赤外線通信などの無線通信インターフェイス２１が内蔵されている。制御部２は、この無線通信インターフェイス２１を介して車内の移動体電話機１１および１２との間で通信を行い、移動体電話機１１および１２から所有者ＩＤなどの情報を受け取る一方、移動体電話機１１および１２に対して呼び出し音量を制御する信号などを送る。
【０００９】
入出力制御部３には、表示器４、スピーカ５および操作部６がそれぞれ接続される。入出力制御部３は、制御部２からの指令により、表示器４に移動体電話機１１および１２の着信を知らせる表示を行うとともに、スピーカ５から着信を知らせる音声を再生する。操作部６は、所有者ＩＤと所有者名との対応情報を入力するために操作される。あらかじめ移動体電話機１１および１２の所有者ＩＤと、移動体電話機１１および１２の所有者名とを入力してメモリ１に記憶しておくことにより、入出力制御部３は、移動体電話機１１および１２に着信がある場合に、当該電話機１１、１２の所有者名で着信を知らせることができる。
【００１０】
図２は、移動体電話機１１および１２の概要を示すブロック図である。図２において、移動体電話機１１および１２は、制御部１０１と、メモリ１０２と、送受信部１０３と、入出力制御部１０４と、操作部１０５と、表示器１０６と、スピーカ／マイク１０７とを有する。メモリ１０２は、移動体電話機１１および１２の所有者ＩＤの他、電話機の情報などを記憶する。制御部１０１は、移動体電話機１１、１２の動作を制御する。制御部１０１には、車載システム側と同様に、Bluetoothや赤外線通信などの無線通信インターフェイス１０１ａが内蔵されている。制御部１０１は、この無線通信インターフェイス１０１ａを介して上述した車内の制御部２との間で通信を行い、制御部２からの要求により所有者ＩＤや着信通知信号を制御部２へ送るとともに、制御部２から呼び出し音量を制御する信号を受け取る。
【００１１】
送受信部１０３は、移動体電話機１１および１２が通話もしくはデータ送受を行う場合に、電話機の基地局との間で電波を送受する。入出力制御部１０４には、操作部１０５、表示器１０６、スピーカ／マイク１０７がそれぞれ接続される。入出力制御部１０４は、制御部１０１からの指令により、表示器１０６に所定の表示を行うとともに、着信時にスピーカ／マイク１０７から着信音を再生する。スピーカ／マイク１０７による再生音量は、入出力制御部１０４からの制御信号によって制御される。また、入出力制御部１０４は、通話時にスピーカ／マイク１０７から入力される音声信号を制御部１０１へ送る。操作部１０５は、電話番号、および所有者ＩＤなどの電話機の情報を入力するために操作される。
【００１２】
上述した着信案内装置の車載システムおよび移動体電話機１１間で行われる信号送受について説明する。図３は、制御部２と移動体電話機１１の制御部１０１、および制御部２と入出力制御部３との間で行われる通信の概要を説明する図である。図３において、左側が入出力制御部３を表し、中央が制御部２、右側が移動体電話機１１の制御部１０１を表す。また、図３の縦方向が時間を表し、時間が経過するにつれて図３の下方に進む。図中の＃が付された矢印は、各信号の流れを表す。図３に記した信号は、わかりやすく説明するために主要部分を抽出したもので、実際の信号の流れを全て記すものではない。
【００１３】
図３の♯１０において、制御部２は、無線通信インターフェイス２１を介して、たとえば、１０秒間隔で定期的に接続確認信号を送信する。この場合の送信電力は、車内の移動体電話機１１に十分届く程度の送信電力である。移動体電話機１１の制御部１０１は、無線通信インターフェイス１０１ａを介して接続確認信号を受信すると、＃１１において、無線通信インターフェイス１０１ａを介して確認応答信号を車載システムに送信する。制御部２は、無線通信インターフェイス２１を介して確認応答信号を受信することにより、車内に移動体電話機１１が持ち込まれたことを検知する。
【００１４】
＃２０において、制御部２は、所有者ＩＤを要求する信号と着信音量制御信号とを移動体電話機１１に送信する。移動体電話機１１の制御部１０１は、着信音量制御信号を受信すると、入出力制御部１０４に対して着信音の再生音量を下げるように制御指令を出力する。これにより、運転者が気づかない程度の音量まで着信音量が小さく絞られる。制御部１０１は、ＩＤ要求信号を受信すると、＃２１において、ＩＤ応答信号を車載システムに送信するとともに、所有者ＩＤをメモリ１０２から読み出して上記ＩＤ応答信号に付与して車載システムに送信する。制御部２は、受信した所有者ＩＤをメモリ１に記憶（登録）する。これにより、車内に持ち込まれた移動体電話機１１の所有者ＩＤがメモリ１の中にデータベース化される。データベースには、音声データおよび表示データが含まれる。
【００１５】
ここで、メモリ１にあらかじめ所有者ＩＤと所有者名との対応情報が記憶されていると、データベースの音声データは所有者名を再生するためのデータになる。また、表示データは、所有者名を表示するための表示データになる。メモリ１にあらかじめ所有者ＩＤと所有者名との対応情報が記憶されていない場合は、音声データおよび表示データは、それぞれ所有者ＩＤを再生および表示するためのデータになる。
【００１６】
＃２１０において、移動体電話機１１に着信があると、移動体電話機１１の制御部１０１に送受信部１０３から着信信号が送られる。制御部１０１は、＃３０において、着信通知信号、すなわち、所有者ＩＤを車載システムに送信する。制御部２は、着信通知信号を受信すると、＃３１において、応答信号を移動体電話機１１に送信する。移動体電話機１１の制御部１０１は、応答信号を受信することにより、移動体電話機１１が車内にあることを確認する。一方、移動体電話機１１の制御部１０１は、応答信号が受信されない場合は、移動体電話機１１が車外に持ち出されたとみなす。また、所定時間以上接続確認信号が受信できない場合にも、移動体電話機１１が車外に持ち出されたとみなす。移動体電話機１１が車外に持ち出された場合には、制御部１０１が入出力制御部１０４に対して着信音の再生音量を元に戻すように制御指令を出力する。
【００１７】
制御部２は、上述した＃３１において応答信号を移動体電話機１１に送信すると、着信通知信号をメモリ１内のデータベースに登録されている所有者ＩＤと照合する。照合の結果、受信した着信通知信号が登録されている所有者ＩＤと合致すると、制御部２は、データベースから所有者ＩＤに対応する音声データおよび表示データを読み出す。＃１１０において、制御部２は、読み出した音声データをスピーカ５から再生するように、音声出力指令と音声データとを入出力制御部３に送る。これにより、たとえば、「○○さんにお電話です。」という着信案内がスピーカ５から再生される。また、＃１２０において、制御部２は、読み出した表示データを表示器４に表示するように、表示出力指令と表示データとを入出力制御部３に送る。これにより、たとえば、「○○さんにお電話です。」という着信案内が表示器４に表示される。移動体電話機１１に対する着信が報知されたとき、その電話機の所有者が運転者の場合はハンズフリー通話を行い、その電話機の所有者が同乗者である場合は電話に出て通話を行う。
【００１８】
制御部２は、所有者ＩＤを登録した移動体電話機１１から着信通知信号が送られない場合でも、たとえば、１０分間隔で定期的に接続確認信号を移動体電話機１１に送信する。移動体電話機１１の制御部１０１は、接続確認信号を受信すると、確認応答信号を車載システムに送信する。制御部２は、確認応答信号が受信された場合に、移動体電話機１１が車内にあることを確認する。制御部２は、確認応答信号が受信されない場合に、移動体電話機１１が車外に持ち出されたとみなし、メモリ１に登録した所有者ＩＤを消去する。
【００１９】
一方、移動体電話機１１の制御部１０１は、制御部２からの定期的な応答信号が受信されない場合に、タイムアウト判定により移動体電話機１１が車外に持ち出されたとみなす。この場合には、制御部１０１は入出力制御部１０４に対して着信音の再生音量を元に戻すように制御指令を出力する。
【００２０】
なお、車内に持ち込まれる移動体電話機が着信音を鳴らさないようにマナーモードに設定されている場合は、上述した着信案内を行わないようにしてもよい。マナーモードに設定されている電話機が制御部２から送信された接続確認信号に対して確認応答信号を送らないようにすることにより、当該電話機に対する上述した着信案内が行われなくなる。また、車内でマナーモードに設定されていた電話機のマナーモードが解除された場合は、当該電話機が制御部２から送信された接続確認信号に対して確認応答信号を送るようにすることにより、当該電話機に対する着信案内が行われるようになる。このように、上述した着信案内は、着信音が鳴るように設定されている移動体電話機が車内に持ち込まれた場合に、その着信音によって運転者の注意をそらさないように行うものである。
【００２１】
上述した図３の説明では、移動体電話機１１を例にあげて説明したが、移動体電話機１２についても同様である。複数の移動体電話機が車内に持ち込まれる場合は、図３において＃１０の接続確認信号の送信から＃２１のＩＤ応答信号およびＩＤの受信までの通信を各移動体電話機との間で行い、データベースに各移動体電話機の所有者ＩＤを順に登録する。制御部２は、複数の移動体電話機が車内に持ち込まれ、複数の所有者ＩＤが登録された場合に、着信通知信号(所有者ＩＤ)によってどの移動体電話機に着信があったかを特定して報知する。
【００２２】
以上説明した実施の形態によれば、次の作用効果が得られる。
（１）車載システムの制御部２は定期的に車内に接続確認信号を送り、移動体電話機１１は接続確認信号を受信できる範囲、すなわち車内で接続確認信号を受信すると確認応答を送るようにした。これにより、車載システムの制御部２は、移動体電話機１１が車内に持ち込まれたことを検知できる。
（２）制御部２は、移動体電話機１１が車内に持ち込まれると、移動体電話機１１の所有者ＩＤをメモリ１内のデータベースに登録し、移動体電話機１１の着信時の呼び出し音量を小さく絞るようにしたので、運転者が運転中に着信音を気にせずに、安心して運転することが可能になる。
（３）移動体電話機１１は、着信すると着信通知信号(所有者ＩＤ)を車載システムへ送り、車載システムの制御部２は送られた所有者ＩＤをデータベースに登録されている所有者ＩＤと照合する。照合の結果、両者が合致すると、「○○さんにお電話です。」という着信案内をスピーカ５から再生し、「○○さんにお電話です。」という着信案内を表示器４に表示する。したがって、呼び出し音量を小さく絞っても着信案内が行われるので、電話の利便性を保つことができる。
（４）移動体電話機１１は、所有者ＩＤを着信通知信号として制御部２へ送るので、制御部２は、複数の移動体電話機が車内に持ち込まれ、複数の所有者ＩＤが登録されている場合でも、着信通知信号によりどの移動体電話機に着信があったかを特定し、報知することができる。
【００２３】
以上の説明では、移動体電話機１１の制御部１０１が着信音量制御信号を受信すると、入出力制御部１０４に対して着信音の再生音量を下げるように制御指令を出力するようにしたが、着信音の再生音量を０、すなわち、着信音をオフさせるように制御指令を出力するようにしてもよい。
【００２４】
上述した着信案内は、車内に持ち込まれた移動体電話機に電話の着信があった場合を例にあげて説明したが、メールなどのデータ受信を行う場合にも適用することができる。この場合にも、着信音が鳴るように設定されている移動体電話機が車内に持ち込まれると、その着信音量が小さく絞られる。移動体電話機にデータ着信があると、移動体電話機は車載システムに着信通知信号を送るとともに、データ受信を行う。車載システムの制御部２は、受信した着信通知信号が登録されている所有者ＩＤと合致すると、たとえば、「○○さんにメールが届いています。」という着信案内をスピーカ５から再生させる。また、たとえば、「○○さんにメールが届いています。」という着信案内を表示器４に表示させる。これにより、移動体電話機の所有者が運転者のとき、車両が走行中の場合は車両を停止させてからメールなどの受信したデータの内容を確認する。また、移動体電話機の所有者が同乗者であるとき、必要に応じてメールなどの受信したデータの内容を確認する。
【００２５】
上記の説明では、移動体電話機１１の所有者ＩＤと所有者名との対応情報について、操作部６を操作して入力することによってメモリ１に記憶したが、移動体電話機１１のメモリ１０２に記憶されているデータを無線通信インターフェイス１０１ａを介して制御部２へ送り、制御部２が送られたデータをメモリ１に記憶するようにしてもよい。
【００２６】
上述した車載システムは、乗用車、バスおよび運搬車、工事用車両ならびに建設用機械など、走行車両であれば全ての車両に適用することができる。
【００２７】
特許請求の範囲における各構成要素と、発明の実施の形態における各構成要素との対応について説明すると、制御部２が電話機検出手段、音量指示手段、着信検出手段、および照合手段に、着信音量制御信号が音量切換え指示に、所有者ＩＤおよび所有者名が識別情報に、メモリ１が記憶手段に、表示器４、スピーカ５および入出力制御部３が報知手段に、それぞれ対応する。
【図面の簡単な説明】
【図１】本発明の一実施の形態による着信案内装置の概要を示すブロック図である。
【図２】移動体電話機の概要を示すブロック図である。
【図３】車載システムの制御部と移動体電話機の制御部、および車載システムの制御部と入出力制御部との間で行われる通信の概要を説明する図である。
【符号の説明】
１,１０２…メモリ、                 ２,１０１…制御部、
３,１０４…入出力制御部、           ４,１０６…表示器、
５…スピーカ、                      ６,１０５…操作部、
１１,１２…移動体電話機、
２１,１０１ａ…無線通信インターフェイス、
１０３…送受信部、                    １０７…スピーカ／マイク、
【図１】
0003826711.tif 000002
【図２】
0003826711.tif 000003
【図３】
0003826711.tif 000004